(57)【要約】【課題】電子ユニットとバッテリとを備えたバッテリ装置に対して、バッテリ及び電子ユニットを一箇所にまとめて車両に取り付けることができ、且つ簡単に車両に取り付けることができるバッテリ装置を提供する。【解決手段】このバッテリ装置１は、有底枠体７を車両に固設し、電子ユニット５の外装ケース５ａをバッテリ３に横付けした状態で、バッテリ３及び外装ケース５ａの双方の下部を有底枠体７内に嵌合配置させ、この状態で、有底枠体７の一側面側からバッテリ３の上面及び外装ケース５ａの上面を跨いで有底枠体７の他側面側に至る様にして有底枠体７に締付バンド９を着脱自在に取り付けて該締付バンド９によりバッテリ３及び外装ケース５ａを有底枠体７に締付固定するものである。【選択図】        図１
2004362826.tif 000002
【特許請求の範囲】
【請求項１】
所定の電子ユニットとバッテリとを備えたバッテリ装置であって、
有底枠体を車両に固設し、前記電子ユニットの外装ケースを前記バッテリに横付けした状態で、前記バッテリ及び前記外装ケースの双方の下部を前記有底枠体内に嵌合配置させ、この状態で、前記有底枠体の一側面側から前記バッテリの上面及び前記外装ケースの上面を跨いで前記有底枠体の他側面側に至る様にして前記有底枠体に締付バンドを着脱自在に取り付けて該締付バンドにより前記バッテリ及び前記外装ケースを前記有底枠体に締付固定することを特徴とするバッテリ装置。
【請求項２】
前記締付バンドは、伸縮自在の弾性部材により形成されることを特徴とする請求項１に記載のバッテリ装置。
【請求項３】
前記締付バンドの端部に係止部が設けられ、前記有底枠体の側面に被係止部が設けられ、前記係止部と前記被係止部との係合により前記締付バンドの前記端部が前記有底枠体の前記側面に取り付けられることを特徴とする請求項１又は請求項２に記載のバッテリ装置。
【請求項４】
前記外装ケースは、その上部から側方に張り出す様に延設されて下面に開口部が形成されたバッテリ端子収容部を有し、前記外装ケースが前記バッテリに横付けされた状態で、前記バッテリ端子収容部が前記バッテリの上面上に配置して前記バッテリの上面のバッテリ端子を前記開口部から前記バッテリ端子収容部内に収容し、前記バッテリ端子収容部内で前記バッテリ端子と前記電子ユニット側の接続端子とを電気接続させることを特徴とする請求項１〜請求項３の何れかに記載のバッテリ装置。
【発明の詳細な説明】
【０００１】
【発明の属する技術分野】
本発明は、電子ユニットとバッテリとを備えるバッテリ装置に関する。
【０００２】
【提案技術】
電気自動車にバッテリを搭載する際に、バッテリと共に該バッテリの状態（残電状態や劣化状態）の検知や該バッテリの放電電圧の安定化等を行う電子ユニットを搭載する案が提案されている。
【０００３】
この案では、バッテリ及び電子ユニットはそれぞれ別々の場所に搭載されている。又、この案では、バッテリの取付構造は、車両に固設したバッテリトレイ上にバッテリを載せて該バッテリ上に押え部材を載せ、前記バッテリトレイと前記押さ部材とをボルトにより締結して前記バッテリトレイと前記押え部材とによりバッテリを狭持する構造とされている。
【０００４】
【発明が解決しようとする課題】
上記の提案例では、バッテリ及び電子ユニットがそれぞれ別々の場所に搭載される為、バッテリ及び電子ユニットの車両への取付作業や点検作業が行い難いという問題があった。
【０００５】
又、上記の提案例では、バッテリがボルトを用いて取り付けられる為、バッテリの取付作業や交換作業が行い難いという問題があった。
【０００６】
そこで、この発明の課題は、電子ユニットとバッテリとを備えたバッテリ装置に対して、バッテリ及び電子ユニットを一箇所にまとめて車両に取り付けることができ、且つ簡単に車両に取り付けることができるバッテリ装置を提供することにある。
【０００７】
【課題を解決するための手段】
上記課題を解決するためには、請求項１に記載の発明は、所定の電子ユニットとバッテリとを備えたバッテリ装置であって、有底枠体を車両に固設し、前記電子ユニットの外装ケースを前記バッテリに横付けした状態で、前記バッテリ及び前記外装ケースの双方の下部を前記有底枠体内に嵌合配置させ、この状態で、前記有底枠体の一側面側から前記バッテリの上面及び前記外装ケースの上面を跨いで前記有底枠体の他側面側に至る様にして前記有底枠体に締付バンドを着脱自在に取り付けて該締付バンドにより前記バッテリ及び前記外装ケースを前記有底枠体に締付固定するものである。
【０００８】
請求項２に記載の発明は、前記締付バンドは、伸縮自在の弾性部材により形成されるものである。
【０００９】
請求項３に記載の発明は、前記締付バンドの端部に係止部が設けられ、前記有底枠体の側面に被係止部が設けられ、前記係止部と前記被係止部との係合により前記締付バンドの前記端部が前記有底枠体の前記側面に取り付けられるものである。
【００１０】
請求項４に記載の発明は、前記外装ケースは、その上部から側方に張り出す様に延設されて下面に開口部が形成されたバッテリ端子収容部を有し、前記外装ケースが前記バッテリに横付けされた状態で、前記バッテリ端子収容部が前記バッテリの上面上に配置して前記バッテリの上面のバッテリ端子を前記開口部から前記バッテリ端子収容部内に収容し、前記バッテリ端子収容部内で前記バッテリ端子と前記電子ユニット側の接続端子とを電気接続させるものである。
【００１１】
【発明の実施の形態】
図１は、本発明の実施の形態のバッテリ装置の斜視図である。図２は、図１の矢印Ｐ１方向の正面図である。図３は、図１の矢印Ｐ２方向の側面図である。図４は、図１の矢印Ｐ３方向の平面視図である。図５は、図１のＶ−Ｖ断面図である。図６は、本発明の実施の形態のバッテリ装置を構成する電子ユニットの接続端子の一例図である。
【００１２】
この実施の形態のバッテリ装置１は、図１〜図５の様に、バッテリ３の状態（残電状態や劣化状態）の検知やバッテリ３の放電電圧の安定化等を行う電子ユニット５とバッテリ３とを備えるものであり、有底枠体７を車両に固設し、電子ユニット５の外装ケース５ａをバッテリ３に横付けした状態で、バッテリ３及び外装ケース５ａの双方の下部を有底枠体７内に嵌合配置させ、この状態で、有底枠体７の前面（一側面）側からバッテリ３の上面及び外装ケース５ａの上面を跨いで有底枠体７の後面（他側面）側に至る様にして有底枠体７に締付バンド９を着脱自在に取り付けて該締付バンド９によりバッテリ３及び外装ケース５ａを有底枠体７に締付固定するものである。
【００１３】
ここでは、バッテリ３は、例えば直方体状に形成される。バッテリ３の上面上の左右両端側にはそれぞれ、バッテリ端子３ｂが配設される（図１及び図５参照）。各バッテリ端子３ｂは、例えばファストン端子（即ち、板状に形成され、その基端部がバッテリ３の上面に立設され、その先端部がバッテリ３の上面に平行に屈曲された端子）に形成され、その先端部が電子ユニット５側に向いて配設される。
【００１４】
電子ユニット５は、外装ケース５ａ内に回路基板５ｂが収容配設されて構成される。
【００１５】
外装ケース５ａは、回路基板５ｂが収容配設される箱状のケース本体部５ｃと、ケース本体部５ｃの上部から後方（側方）に張り出す様に延設され、該張出部分の下面に開口部５ｄが形成されたバッテリ端子収容部５ｅとから構成される。
【００１６】
ここでは、ケース本体部５ｃは、その後面（バッテリ３と対向する面）がバッテリ３の前面と同一寸法の略直方体状の箱状に形成される。バッテリ端子収容部５ｅは、ケース本体部５ｃの上面上の左右両端側にそれぞれ形成される。各バッテリ端子収容部５ｅは、互いに所定間隔（締付バンド９の幅と同じ幅の間隔）あけて形成される。
【００１７】
又、外装ケース５ａの左右両側面及び下面にはそれぞれ、バッテリ３の左右両側面及び下面に係合する係止部５ｆ，５ｇ，５ｈが形成される。ここでは、各係止部５ｆ，５ｇにより外装ケース５ａとバッテリ３との左右方向の相対位置が位置決めされる。係止部５ｈ及びバッテリ端子収容部５ｅにより、外装ケース５ａとバッテリ３との上下方向の相対位置が位置決めされる（図３参照）。
【００１８】
又、外装ケース５ａは、例えば後面に平行に縦２つ（第１分割体５ｉ及び第２分割体５ｊ）に分割されて構成される。第２分割体５ｊの両側の側面上には、例えば突起状の被係止部（図示省略）が形成される。第１分割体５ｉの両側の側面上には、例えば第２分割体５ｊの前記被係止部に係止する係止部５ｋが形成される。そして、第１分割体５ｉと第２分割体５ｊとが互いに組み付けられると、第１分割体５ｉ側の係止部５ｋと第２分割体５ｊ側の前記被係止部とが互いに係合し、これにより第１分割体５ｉと第２分割体５ｊとが一体に組み立てられる。
【００１９】
回路基板５ｂには、図５の様に、バッテリ３のバッテリ端子３ｂと電気接続する接続端子１１が実装される。
【００２０】
接続端子１１は、例えば図６の様に、バッテリ端子３ｂと接続する接続部１１ａの基端側から回路基板５ｂに固定接続される支持部１１ｂが延設されて形成される。
【００２１】
接続部１１ａは、それぞれ互いに上下に対向配置されて上下方向に弾性的に変位可能な接触部１１ｃ，１１ｄを構成する一対の弾性接触片１１ｅ，１１ｆを備える。各弾性接触片１１ｅ，１１ｆはそれぞれ、それらの間に挿入されたバッテリ端子３ｂに弾性的に接触し、そのバッテリ端子３ｂの相対的な上下方向の変位に応じてそのバッテリ端子３ｂによりそれらの接触部１１ｃ，１１ｄの位置が上下方向に弾性的に変位される。これにより、接続端子１１は、バッテリ端子３ｂとの接続状態で、該接触状態を保って、バッテリ端子３ｂと前後左右方向だけでなく上下方向にも相対的に位置ずれ可能に構成される。
【００２２】
より詳細には、上側の弾性接触片１１ｅは、例えば、バネ板部材により細長板状に形成され、その先端側が端子挿入側（下側）に廻ってその基端側に折り返えされ、その折り返し部分の中間部分が端子挿入側に盛り上げられて接触部１１ｃにされて形成される。下側の弾性接触片１１ｆは、バネ部材により細長板状に形成され、その中間部分が端子挿入側に盛り上げられて接触部１１ｄにされて形成される。各弾性接触片１１ｅ，１１ｆは、互いにそれらの基端側で一体に形成される。尚、上側（下側）の弾性接触片１１ｅ（１１ｆ）の形状を下側（上側）の弾性接触片１１ｆ（１１ｅ）の形状と上下対称の同様の形状にしてもよい。
【００２３】
この接続端子１１は、図５の様に、外装ケース５ａ内では、接触部１１ａの先端側がバッテリ端子収容部５ｅの張出方向（後方）に向けられ、支持部１１ｂにより支持されて外装ケース５ａのバッテリ端子収容部５ｅ内の所定位置に収容配置される。
【００２４】
有底枠体７は、例えば平面視矩形状の上面開放の底浅状の箱状に形成される。有底枠体７の収容凹部は、横付け状態のバッテリ３と電子ユニット５との下部が嵌合する様に形成される。
【００２５】
有底枠体７の外周側面には、有底枠体７を車両に固設（締結）する為の締結部７ａが側方に突出形成される。ここでは、締結部７ａは、例えば有底枠体７の外周側面上の略対角線上の各位置にそれぞれ１つずつ（計２つ）形成される。各締結部７ａには、その上下面を貫通する様に締結用ボルトの挿通用の貫通孔７ｂが形成される。各締結部７ａは、その底面の高さが有底枠体７の底面の高さと一致する様に形成される。
【００２６】
又、有底枠体７の相対する両側面（例えば前後面）にはそれぞれ、締付バンド９を着脱自在に取り付ける為の被係止部７ｃが形成される。ここでは、各被係止部７ｃはそれぞれ、先端が下方に向いた鉤状（即ち、その基端部分が有底枠体７の側面から側方に突出され、その先端部分側が下方に向けて屈曲された形状）に形成される。
【００２７】
締付バンド９は、伸縮自在の弾性部材（例えばゴム性部材）により形成された帯状のバンド部９ａと、バンド部９ａの長手方向の両端にそれぞれ取り付けられて有底枠体７の各被係止部７ｃと係合する係止部９ｂとを備えて構成される。ここでは、各係止部９ｂはそれぞれ、例えば金属性部材により例えば矩形状の環状に形成される。
【００２８】
次に、このバッテリ装置１に於けるバッテリ３及び電子ユニット５の取付手順を説明する。
【００２９】
ここでは、▲１▼バッテリ３に電子ユニット５を横付けした後、▲２▼バッテリ３及び電子ユニット５を車両に取り付ける。
【００３０】
上記▲１▼では、先ず、図７の様に、バッテリ３と電子ユニット５の外装ケース５ａとの間隔を所定間隔あけた状態で、外装ケース５ａのバッテリ端子収容部５ｅをバッテリ３の上面上に配置させて、バッテリ端子収容部５ｅの下面の開口部５ｄからバッテリ端子収容部５ｅ内にバッテリ３のバッテリ端子３ｂを収容する。そして、図８の様に、バッテリ端子収容部５ｅをバッテリ３の上面上を摺動させつつ外装ケース５ａとバッテリ３とを相対的に寄せて外装ケース５ａの後面とバッテリ３の前面とを当接させる。これにより、バッテリ端子収容部５ｅ内で、バッテリ端子３ｂの先端部が電子ユニット５側の接続端子１１の弾性接触片１１ｅ，１１ｆ間に挿入されてバッテリ端子３ｂと接続端子１１とが電気接続される。この外装ケース５ａとバッテリ３との当接状態では、外装ケース５ａの左右側面及び下面の各係止部５ｆ，５ｇ，５ｈがそれぞれバッテリ３の左右側面及び下面に係合する（図２及び図３参照）。これにより、外装ケース５ａの左右側面の係止部５ｆ，５ｇにより、バッテリ３と外装ケース５ａとの左右方向の相対的な位置ずれが防止され、外装ケース５ａの下面の係止部５ｈ及び上面のバッテリ端子収容部５ｅにより、バッテリ３と外装ケース５ａとの上下方向の相対的な位置ずれが防止される。この様にバッテリ３に電子ユニット５を横付けする。
【００３１】
上記▲２▼では、図１〜図４の様に、電子ユニット５が横付けされたバッテリ３を、電子ユニット５とバッテリ３との対向方向（前後方向）が有底枠体７の各被係止部７ｃの相対方向に一致する様にして車両に固設した有底枠体７内に嵌合配置させる。そして、締付バンド９のバンド部９ａをバッテリ３の上面及び外装ケース５ａの上面を跨がらせて外装ケース５ａの両バッテリ端子収容部５ｅの間を通し、該バンド部９ａの両端の係止部９ｂを有底枠体７の前後面の被係止部７ｂに係合させることにより、締付バンド９を有底枠体７に取り付ける。この状態では、締付バンド９のバンド部９ａは弾性的に伸長されており、その伸長に対する弾性復帰の縮みにより、電子ユニット５の上部とバッテリ３の上部とが互いに離れない様に寄せられ、電子ユニット５及びバッテリ３が有底枠体７内から抜けない様に有底枠体７に締付けられ、締付バンド９の係止部９ｂが上方に引っ張られて締付バンド９の係止部９ｂと有底枠体７の被係止部７ｃとが外れない様に係合される。この様にバッテリ３及び電子ユニット５を車両に取り付ける。
【００３２】
以上の様に構成されたバッテリ装置１によれば、有底枠体７を車両に固設し、電子ユニット５の外装ケース５ａをバッテリ３に横付けした状態で、バッテリ３及び外装ケース５ａの双方の下部を有底枠体７内に嵌合配置させ、この状態で、有底枠体７の前面（一側面）側からバッテリ３の上面及び外装ケース５ａの上面を跨いで有底枠体７の後面（他側面）側に至る様にして有底枠体７に締付バンド９を着脱自在に取り付けて該締付バンド９によりバッテリ３及び外装ケース５ａを有底枠体７に締付固定する為、バッテリ３及び電子ユニット５を一箇所にまとめて車両に取り付けることができる。
【００３３】
その際、有底枠体７の前面（一側面）側からバッテリ３の上面及び外装ケース５ａの上面を跨いで有底枠体７の後面（他側面）側に至る様にして有底枠体７に締付バンド９を着脱自在に取り付けて該締付バンド９によりバッテリ３及び外装ケース５ａを有底枠体７に締付固定する為、１つの締付バンド９により簡単な構造でバッテリ３及び電子ユニット５を車両に取り付けることができる。
【００３４】
又、締付バンド９は伸縮自在の弾性部材により形成される為、バッテリ３や電子ユニット５に寸法誤差があっても適切にバッテリ３及び電子ユニット５を有底枠体７に締付固定できる他、車両振動等が生じてもしっかりとバッテリ３及び電子ユニット５を有底枠体７に締結固定できる。
【００３５】
又、締付バンド９の両端部に係止部９ｂが設けられ、有底枠体７の前後面（側面）に被係止部７ｃが設けられ、係止部９ｂと被係止部７ｃとの係合により締付バンド９の端部が有底枠体７に取り付けられる為、簡単な構造で構成できて簡単な作業で着脱自在に締付バンド９を有底枠体７に取り付けることができる。
【００３６】
又、外装ケース５ａは、その上部から側方に張り出して形成されて下面に開口部５ｄが形成されたバッテリ端子収容部５ｅを有し、外装ケース５ａがバッテリ３に横付けされた状態で、バッテリ端子収容部５ｅがバッテリ３の上面上に配置してバッテリ３の上面のバッテリ端子３ｂを開口部５ｄからバッテリ端子収容部５ｅ内に収容し、バッテリ端子収容部５ｅ内でバッテリ端子３ｂと電子ユニット５の接続端子１１とを電気接続させる為、バッテリ端子３ｂと電子ユニット５の接続端子１１との電気接続部分を外部から保護でき、意匠性も向上できる。
【００３７】
又、接続端子１１は、それぞれ互いに上下方向に対向配置されてそれらの対向方向（上下方向）に弾性的に変位可能な接触部１１ｃ，１１ｄを構成し、それらの間に挿入されたバッテリ端子３ｂに弾性的に接触し、該バッテリ端子３ｂのそれらの対向方向の変位に応じて該バッテリ端子３ｂによりそれらの接触部１１ｃ，１１ｄの位置が弾性的に変位される一対の弾性接触片１１ｅ，１１ｆを備える為、バッテリ３と電子ユニット５とが車両振動等により上下方向に相対的にずれても、そのずれを弾性接触片１１ｅ，１１ｆの接触部１１ｃ，１１ｄの位置の弾性的な変位により吸収でき、これによりバッテリ３と電子ユニット５との間の電気接続部分に無理な力が掛かること無く適切な電気接続状態を確保できる。
【００３８】
【発明の効果】
請求項１に記載の発明によれば、有底枠体を車両に固設し、電子ユニットの外装ケースをバッテリに横付けした状態で、バッテリ及び外装ケースの双方の下部を有底枠体内に嵌合配置させ、この状態で、有底枠体の一側面側からバッテリの上面及び外装ケースの上面を跨いで有底枠体の他側面側に至る様にして有底枠体に締付バンドを着脱自在に取り付けて該締付バンドによりバッテリ及び外装ケースを有底枠体に締付固定する為、バッテリ及び電子ユニットを一箇所にまとめて車両に取り付けることができる。
【００３９】
その際、有底枠体の一側面側からバッテリの上面及び外装ケースの上面を跨いで有底枠体の他側面側に至る様にして有底枠体に締付バンドを着脱自在に取り付けて該締付バンドによりバッテリ及び外装ケースを有底枠体に締付固定する為、１つの締付バンドにより簡単な構造でバッテリ及び電子ユニットを車両に取り付けることができる。
【００４０】
請求項２に記載の発明によれば、締付バンドは伸縮自在の弾性部材により形成される為、バッテリや電子ユニットに寸法誤差があっても適切にバッテリ及び電子ユニットを有底枠体に締付固定できる。
【００４１】
請求項３に記載の発明によれば、締付バンドの端部に係止部が設けられ、有底枠体の側面に被係止部が設けられ、前記係止部と前記被係止部との係合により締付バンドの端部が有底枠体の側面に取り付けられる為、簡単な構造で構成できて簡単な作業で着脱自在に締付バンドを有底枠体に取り付けることができる。
【００４２】
請求項４に記載の発明によれば、外装ケースは、その上部から側方に張り出して形成されて下面に開口部が形成されたバッテリ端子収容部を有し、外装ケースがバッテリに横付けされた状態で、バッテリ端子収容部がバッテリの上面上に配置してバッテリの上面のバッテリ端子を開口部からバッテリ端子収容部内に収容し、バッテリ端子収容部内でバッテリ端子と電子ユニット側の接続端子とを電気接続させる為、バッテリ端子と電子ユニット側の配線端子との電気接続部分を外部から保護でき、意匠性も向上できる。
【図面の簡単な説明】
【図１】本発明の実施の形態のバッテリ装置の斜視図である。
【図２】図１の矢印Ｐ１方向の正面図である。
【図３】図１の矢印Ｐ２方向の側面図である。
【図４】図１の矢印Ｐ３方向の平面視図である。
【図５】図１のＶ−Ｖ断面図である。
【図６】本発明の実施の形態のバッテリ装置を構成する電子ユニットの接続端子の一例図である。
【図７】本発明の実施の形態のバッテリ装置に於けるバッテリと電子ユニットの取付手順を説明する図である。
【図８】本発明の実施の形態のバッテリ装置に於けるバッテリと電子ユニットの取付手順を説明する他の図である。
【符号の説明】
１  バッテリ装置
３  バッテリ
３ｂ  バッテリ端子
５  電子ユニット
５ａ  外装ケース
５ｂ  回路基板
５ｄ  開口部
５ｅ  バッテリ端子収容部
７  有底枠体
７ｃ  被係止部
９  締付バンド
９ａ  バンド部
９ｂ  係止部
１１  接続端子
１１ｃ，１１ｄ  接触部
１１ｅ，１１ｆ  弾性接触片
【図１】
2004362826.tif 000003
【図２】
2004362826.tif 000004
【図３】
2004362826.tif 000005
【図４】
2004362826.tif 000006
【図５】
2004362826.tif 000007
【図６】
2004362826.tif 000008
【図７】
2004362826.tif 000009
【図８】
2004362826.tif 000010